(57)【要約】【課題】容易に蓋部材を培養液用容器から取り外し、容易に培養液用容器の内部を確認して点検自在となる栽培装置、および栽培装置を用いた栽培方法を提供すること。【解決手段】シート状給液用導液材１３０の少なくとも一つの端部１３１が、培養液用容器１２０の内部の培養液ＦＬに浸かるとともに、シート状給液用導液材１３０の中央部１３２が、植物支持体１１０の上に配設され、植物ＰＴの根ＰＴ１が、シート状給液用導液材１３０の中央部１３２の上に設置され、蓋部材１４０が、培養液用容器１２０に対して着脱自在に培養液用容器の長手方向に複数配設されているとともに、培養液用容器の長手方向の端部に切り欠き部１４１を有し、隣り合う蓋部材１４０の切り欠き部１４１同士または切り欠き部１４１および端部が植物ＰＴの茎ＰＴ２の周囲を囲っていることを特徴とする栽培装置１００。【選択図】図３
2018064463.tif 000002
【特許請求の範囲】
【請求項１】
植物を支持する植物支持体と、培養液を貯える培養液用容器と、培養液を植物へ導くシート状給液用導液材と、培養液用容器を覆う蓋部材とを備えた栽培装置において、
前記シート状給液用導液材の少なくとも一つの端部が、前記培養液用容器の内部の培養液に浸かるとともに、前記シート状給液用導液材の中央部が、前記植物支持体の上に配設され、
前記植物の根が、前記シート状給液用導液材の中央部の上に設置され、
前記蓋部材が、前記培養液用容器に対して着脱自在に培養液用容器の長手方向に複数配設されているとともに、前記長手方向の端部に切り欠き部を有し、隣り合う蓋部材の切り欠き部同士または切り欠き部および端部が植物の茎の周囲を囲っていることを特徴とする栽培装置。
【請求項２】
前記培養液用容器の内部の培養液の水位を計る浮力式水位計をさらに備え、
前記浮力式水位計が、前記培養液用容器の内部の培養液から上方へ延びて蓋部材の貫通穴を介して突出自在に設けられていることを特徴とする請求項１に記載の栽培装置。
【請求項３】
前記蓋部材が、点検用開口と、前記点検用開口に対して着脱自在な開口用蓋とを有していることを特徴とする請求項１または請求項２に記載の栽培装置。
【請求項４】
前記植物支持体が、前記培養液用容器の底部と接触した状態で植物を支持していることを特徴とする請求項１乃至請求項３のいずれか１つに記載の栽培装置。
【請求項５】
前記植物の根の進入を防ぐ防根シートをさらに備え、
前記防根シートが、前記シート状給液用導液材の中央部の上の植物の根の上に載置されていることを特徴とする請求項１乃至請求項４のいずれか１つに記載の栽培装置。
【請求項６】
前記植物の根の進入を防ぐ防根シートをさらに備え、
前記防根シートが、前記シート状給液用導液材と蓋部材との間において植物の根を包み込んでいることを特徴とする請求項１乃至請求項４のいずれか１に記載の栽培装置。
【請求項７】
紐状の雨水用導水材をさらに備え、
前記雨水用導水材が、前記蓋部材の上に配設され、
前記雨水用導水材の一端側が、互いに対向した切り欠き部の上において植物の茎と結ばれ、前記雨水用導水材の他端側が、前記蓋部材の端部から培養液用容器の外側へ延設されていることを特徴とする請求項１乃至請求項６のいずれか１つに記載の栽培装置。
【請求項８】
植物支持体と培養液用容器とシート状給液用導液材と培養液用容器を覆う蓋部材とを備え、蓋部材が、培養液用容器に対して着脱自在に培養液用容器の長手方向に複数配設されているとともに、前記長手方向の端部に切り欠き部を有し、隣り合う蓋部材の切り欠き部同士または切り欠き部および端部が植物の茎の周囲を囲っている構成の栽培装置を用いた栽培方法であって、
前記シート状給液用導液材が、前記培養液用容器の内部の培養液を吸い上げる培養液吸い上げ工程と、
前記シート状給液用導液材が、前記培養液吸い上げ工程で吸い上げた培養液を栽培容器の内部へ供給する培養液供給工程と、
前記蓋部材が、雨水を蓋部材の上から培養液用容器の外側の下方へ案内する雨水移動工程とを具備していることを特徴とする栽培方法。
【発明の詳細な説明】
【技術分野】
【０００１】
本発明は、植物を支持する植物支持体と、培養液を貯える培養液用容器と、培養液を植物へ導くシート状給液用導液材と、培養液用容器を覆う蓋部材とを備えた栽培装置、および栽培装置を用いた栽培方法に関する。
【背景技術】
【０００２】
従来、栽培装置として、植物を収容する容器本体と、容器本体を覆う上蓋とを備えた植物栽培用容器が知られている（例えば、特許文献１）。
【先行技術文献】
【特許文献】
【０００３】
【特許文献１】特開２０１１−１６７１５７号公報（特に図１参照）
【発明の概要】
【発明が解決しようとする課題】
【０００４】
しかしながら、上述した従来の植物栽培用容器は、上蓋が単に定植穴を植物栽培用容器の長手方向に沿って複数有して、定植穴を介して外部から内部へ苗が植えられて植物の茎が定植穴に挿通された状態で植物が発育する構造であったため、発育中に上蓋を容器本体から取り外すことが困難であるという問題、さらに、上蓋を取り外せないために内部の状態を確認することができないという問題があった。
【０００５】
そこで、本発明は、前述したような従来技術の問題を解決するものであって、すなわち、本発明の目的は、容易に蓋部材を培養液用容器から取り外し、容易に培養液用容器の内部を確認して点検自在となる栽培装置、および栽培装置を用いた栽培方法を提供することである。
【課題を解決するための手段】
【０００６】
本請求項１に係る発明は、植物を支持する植物支持体と、培養液を貯える培養液用容器と、培養液を植物へ導くシート状給液用導液材と、培養液用容器を覆う蓋部材とを備えた栽培装置において、前記シート状給液用導液材の少なくとも一つの端部が、前記培養液用容器の内部の培養液に浸かるとともに、前記シート状給液用導液材の中央部が、前記植物支持体の上に配設され、前記植物の根が、前記シート状給液用導液材の中央部の上に設置され、前記蓋部材が、前記培養液用容器に対して着脱自在に培養液用容器の長手方向に複数配設されているとともに、前記長手方向の端部に切り欠き部を有し、隣り合う蓋部材の切り欠き部同士または切り欠き部および端部が植物の茎の周囲を囲っていることにより、前述した課題を解決するものである。
【０００７】
本請求項２に係る発明は、請求項１に記載された栽培装置の構成に加えて、前記培養液用容器の内部の培養液の水位を計る浮力式水位計をさらに備え、前記浮力式水位計が、前記培養液用容器の内部の培養液から上方へ延びて蓋部材の貫通穴を介して突出自在に設けられていることにより、前述した課題をさらに解決するものである。
【０００８】
本請求項３に係る発明は、請求項１または請求項２に記載された栽培装置の構成に加えて、前記蓋部材が、点検用開口と、前記点検用開口に対して着脱自在な開口用蓋とを有していることにより、前述した課題をさらに解決するものである。
【０００９】
本請求項４に係る発明は、請求項１乃至請求項３のいずれか１つに記載された栽培装置の構成に加えて、前記植物支持体が、前記培養液用容器の底部と接触した状態で植物を支持していることにより、前述した課題をさらに解決するものである。
【００１０】
本請求項５に係る発明は、請求項１乃至請求項４のいずれか１つに記載された栽培装置の構成に加えて、前記植物の根の進入を防ぐ防根シートをさらに備え、前記防根シートが、前記シート状給液用導液材の中央部の上の植物の根の上に載置されていることにより、前述した課題をさらに解決するものである。
【００１１】
本請求項６に係る発明は、請求項１乃至請求項４のいずれか１つに記載された栽培装置の構成に加えて、前記植物の根の進入を防ぐ防根シートをさらに備え、前記防根シートが、前記シート状給液用導液材と蓋部材との間において植物の根を包み込んでいることにより、前述した課題をさらに解決するものである。
【００１２】
本請求項７に係る発明は、請求項１乃至請求項６のいずれか１つに記載された栽培装置の構成に加えて、紐状の雨水用導水材をさらに備え、前記雨水用導水材が、前記蓋部材の上に配設され、前記雨水用導水材の一端側が、互いに対向した切り欠き部の上において植物の茎と結ばれ、前記雨水用導水材の他端側が、前記蓋部材の端部から培養液用容器の外側へ延設されていることにより、前述した課題をさらに解決するものである。
【００１３】
本請求項８に係る発明は、植物支持体と培養液用容器とシート状給液用導液材と培養液用容器を覆う蓋部材とを備え、蓋部材が、培養液用容器に対して着脱自在に培養液用容器の長手方向に複数配設されているとともに、前記長手方向の端部に切り欠き部を有し、隣り合う蓋部材の切り欠き部同士または切り欠き部および端部が植物の茎の周囲を囲っている構成の栽培装置を用いた栽培方法であって、前記シート状給液用導液材が、前記培養液用容器の内部の培養液を吸い上げる培養液吸い上げ工程と、前記シート状給液用導液材が、前記培養液吸い上げ工程で吸い上げた培養液を栽培容器の内部へ供給する培養液供給工程と、前記蓋部材が、雨水を蓋部材の上から培養液用容器の外側の下方へ案内する雨水移動工程とを具備していることにより、前述した課題を解決するものである。
【発明の効果】
【００１４】
本発明の栽培装置は、植物を支持する植物支持体と、培養液を貯える培養液用容器と、培養液を植物へ導くシート状給液用導液材と、培養液用容器を覆う蓋部材とを備えていることにより、培養液の蒸発を抑制するとともに断熱効果で培養液を比較的低温に保つことができ、さらに、雨が降ったときに雨が蓋部材に当たり雨水が培養液用容器の内部に入ってしまうことを回避して微生物の発生や培養液の濃度が薄くなるなどの不都合を防止できるばかりでなく、以下のような特有の効果を奏することができる。
【００１５】
本請求項１に係る発明の栽培装置によれば、蓋部材を培養液用容器から取り外すときに植物を移動させる必要がないため、容易に蓋部材を培養液用容器から取り外すことができる。
さらに、蓋部材を培養液用容器から取り外すことで内部の様子を目視可能となるため、容易に培養液用容器の内部を確認して点検することができる。
【００１６】
本請求項２に係る発明の栽培装置によれば、請求項１に係る発明が奏する効果に加えて、培養液用容器の内部の培養液の水位の変化に伴って浮力式水位計の位置が変化して上端の突出量が変わるため、ユーザが蓋部材を開けずに培養液の水位を把握することができる。
【００１７】
本請求項３に係る発明の栽培装置によれば、請求項１または請求項２に係る発明が奏する効果に加えて、ユーザが培養液用容器の内部を視認可能となるため、蓋部材の全体を培養液用容器から取り外すことなく容易に培養液用容器の内部を確認して点検することができる。
さらに、点検用開口を介して培養液を補給可能となるため、ユーザが蓋部材の全体を培養液用容器から取り外すことなく容易に培養液を補給することができる。
【００１８】
本請求項４に係る発明の栽培装置によれば、請求項１乃至請求項３のいずれか１つに係る発明が奏する効果に加えて、植物支持体が蓋部材に対して変位しないため、植物の枝や茎が傷つくことを回避できる。
【００１９】
本請求項５に係る発明の栽培装置によれば、請求項１乃至請求項４のいずれか１つに係る発明が奏する効果に加えて、植物の根が防根シートとシート状給液用導液材との間に沿って成長するため、植物の根が蓋部材と絡まるように接触してしまうことを回避して蓋部材が培養液用容器に対して外せなくなることを回避できる。
【００２０】
本請求項６に係る発明の栽培装置によれば、請求項１乃至請求項４のいずれか１つに係る発明が奏する効果に加えて、植物の根が防根シートの内側で成長するため、植物の根が蓋部材およびシート状給液用導液材と絡まるように接触してしまうことを回避して蓋部材が培養液用容器に対して外せなくなることを回避でき、さらに、植物がシート状給液用導液材に対して外せなくなることを回避して植物を栽培装置から出して自由に持ち運ぶことができる。
【００２１】
本請求項７に係る発明の栽培装置によれば、請求項１乃至請求項６のいずれか１つに係る発明が奏する効果に加えて、蓋部材の上で溜まろうとする雨水が表面張力や毛管現象によって雨水用導水材に吸い寄せられるように移動して重力によって他端側へ移動するため、蓋部材の上の雨水を培養液用容器の外側の下方へ流して雨水が培養液用容器の内部に浸入することをより確実に回避できる。
【００２２】
本請求項８に係る発明の栽培方法によれば、雨が降ったときに雨が蓋部材に当たるため、雨水が培養液用容器の内部に入ってしまうことを回避して微生物の発生や培養液の濃度が薄くなるなどの不都合を防止できる。
さらに、蓋部材を培養液用容器から取り外すときに植物を移動させる必要がないため、容易に蓋部材を培養液用容器から取り外すことができる。
また、蓋部材を培養液用容器から取り外すことで内部の様子を目視可能となるため、容易に培養液用容器の内部を確認して点検することができる。
【図面の簡単な説明】
【００２３】
【図１】本発明の第１実施例の栽培装置の概略を示す平面図。
【図２】図１に示す符号２−２で視た概略断面図。
【図３】取り外した状態の蓋部材を示す概略平面図。
【図４】本発明の第２実施例の栽培装置の概略を示す平面図。
【図５】図４に示す符号５−５で視た概略断面図。
【発明を実施するための形態】
【００２４】
本発明の栽培装置は、植物を支持する植物支持体と、培養液を貯える培養液用容器と、培養液を植物へ導くシート状給液用導液材と、培養液用容器を覆う蓋部材とを備え、シート状給液用導液材の少なくとも一つの端部が、培養液用容器の内部の培養液に浸かるとともに、シート状給液用導液材の中央部が、植物支持体の上に配設され、植物の根が、シート状給液用導液材の中央部の上に設置され、蓋部材が、培養液用容器に対して着脱自在に培養液用容器の長手方向に複数配設されているとともに、培養液用容器の長手方向の端部に切り欠き部を有し、隣り合う蓋部材の切り欠き部同士または切り欠き部および端部が植物の茎の周囲を囲っていることにより、雨が降ったときに雨水が培養液用容器の内部に入ってしまうことを回避して微生物の発生や培養液の濃度が薄くなるなどの不都合を防止するとともに、容易に蓋部材を培養液用容器から取り外し、容易に培養液用容器の内部を確認して点検自在となるものであれば、その具体的な実施態様は、如何なるものであっても構わない。
【００２５】
また、本発明の栽培方法は、植物支持体と培養液用容器とシート状給液用導液材と培養液用容器を覆う蓋部材とを備え、蓋部材が、培養液用容器に対して着脱自在に培養液用容器の長手方向に複数配設されているとともに、培養液用容器の長手方向の端部に切り欠き部を有し、隣り合う蓋部材の切り欠き部同士または切り欠き部および端部が植物の茎の周囲を囲っている構成の栽培装置を用いた栽培方法であって、シート状給液用導液材が、培養液用容器の内部の培養液を吸い上げる培養液吸い上げ工程と、シート状給液用導液材が、培養液吸い上げ工程で吸い上げた培養液を栽培容器の内部へ供給する培養液供給工程と、蓋部材が、雨水を蓋部材の上から培養液用容器の外側の下方へ案内する雨水移動工程とを具備していることにより、雨が降ったときに雨水が培養液用容器の内部に入ってしまうことを回避して微生物の発生や培養液の濃度が薄くなるなどの不都合を防止するとともに、容易に蓋部材を培養液用容器から取り外し、容易に培養液用容器の内部を確認して点検自在となるものであれば、その具体的な実施態様は、如何なるものであっても構わない。
【００２６】
例えば、蓋部材は、培養液用容器を覆って雨水の浸入を回避することができればよく、蓋部材の材質は、如何なるものであっても構わない。
また、植物支持体は、培養液用容器の内部の培養液に浮かぶ構成でもよいし、培養液用容器の底部と接触する構成でもよい。
【実施例１】
【００２７】
以下に、本発明の第１実施例である栽培装置１００について、図１乃至図３に基づいて説明する。
ここで、図１は、本発明の第１実施例の栽培装置１００の概略を示す平面図であり、図２は、図１に示す符号２−２で視た概略断面図であり、図３は、取り外した状態の蓋部材１４０を示す概略平面図である。
【００２８】
本発明の第１実施例である栽培装置１００は、図１乃至図３に示すように、植物支持体１１０と、培養液用容器１２０と、シート状給液用導液材１３０と、蓋部材１４０とを備えている。
このうち、植物支持体１１０は、植物ＰＴを支持するものであり、培養液用容器１２０の内部に配設されている。
【００２９】
本実施例では、植物支持体１１０は、一例として、脚部１１１を有している。
脚部１１１は、植物支持体１１０の下方に設けられ、下方へ延びて培養液用容器１２０の底部１２１と接触している。
つまり、植物支持体１１０は、培養液用容器１２０の内部の培養液ＦＬに浮いている構成ではなく、培養液用容器１２０の底部１２１に立って植物ＰＴを支持する構成である。
【００３０】
培養液用容器１２０は、培養液ＦＬを貯えるものであり、所謂、水槽の役割を果たす。
本実施例の培養液用容器１２０は、一例として、培養液ＦＬを培養液用容器１２０の外部へ排出する排液口１２２と、培養液ＦＬを培養液用容器１２０の内部へ供給する給液口１２３とを有している。
本実施例では、培養液ＦＬの水位ＷＬを一定にするように制御されているものとする。
【００３１】
シート状給液用導液材１３０は、培養液ＦＬを植物ＰＴへ導くものである。
本実施例のシート状給液用導液材１３０は、毛管現象で液体を吸い上げて移動させるフェルトや不織布である。
蓋部材１４０は、培養液用容器１２０を覆うものである。
図３に示すように、シート状給液用導液材１３０の両側の端部１３１が、培養液用容器１２０の内部の培養液ＦＬに浸かるとともに、シート状給液用導液材１３０の中央部１３２が、植物支持体１１０の上に配設されている。
【００３２】
本実施例では、植物ＰＴの根ＰＴ１が、シート状給液用導液材１３０の中央部１３２の上に設置されている。
さらに、蓋部材１４０が、培養液用容器１２０に対して着脱自在に培養液用容器１２０の長手方向Ｄに複数配設されている。
具体的には、図１および図２に示すように、左側蓋部材１４０Ａ、中央蓋部材１４０Ｂ、右側蓋部材１４０Ｃの３つが配設されている。
さらに、図３に示すように、左側蓋部材１４０Ａ、中央蓋部材１４０Ｂ、右側蓋部材１４０Ｃがそれぞれ、培養液用容器１２０の長手方向Ｄの端部に切り欠き部１４１を有している。
そして、隣り合う蓋部材１４０の切り欠き部１４１が互いに対向して配設され、互いに対向した切り欠き部１４１が植物ＰＴの茎ＰＴ２の周囲を囲っている。
なお、本実施例では、隣り合う蓋部材１４０の切り欠き部１４１同士が植物ＰＴの茎ＰＴ２の周囲を囲っている構成としたが、蓋部材１４０の切り欠き部１４１および端部が植物ＰＴの茎ＰＴ２の周囲を囲う構成でもよい。
【００３３】
これにより、雨が降ったときに雨が蓋部材１４０に当たる。
その結果、雨水が培養液用容器１２０の内部に入ってしまうことを回避して微生物の発生や培養液ＦＬの濃度が薄くなるなどの不都合を防止できる。
さらに、蓋部材１４０を培養液用容器１２０から取り外すときに植物ＰＴを移動させる必要がない。
その結果、容易に蓋部材１４０を培養液用容器１２０から取り外すことができる。
また、蓋部材１４０を培養液用容器１２０から取り外すことで内部の様子を目視可能となる。
その結果、容易に培養液用容器１２０の内部を確認して点検することができる。
【００３４】
なお、蓋部材１４０を発泡スチロールで形成し、切り欠き部１４１における茎ＰＴ２と接触する箇所に凹凸を設けてもよい。
この凹凸が茎ＰＴ２と接触することにより適度に変形して切り欠き部１４１と茎ＰＴ２との隙間が出来るだけ小さくなる。
つまり、茎ＰＴ２を傷つけることなく、植物ＰＴをサポートすることができる。
【００３５】
さらに、本実施例では、栽培装置１００が、浮力式水位計１５０をさらに備え、浮力式水位計１５０が、培養液用容器１２０の内部の培養液ＦＬの水位ＷＬを計るように構成されている。
具体的には、浮力式水位計１５０が、培養液用容器１２０の内部の培養液ＦＬから上方へ延びて蓋部材１４０の貫通穴１４２を介して突出自在に設けられている。
これにより、培養液用容器１２０の内部の培養液ＦＬの水位ＷＬの変化に伴って浮力式水位計１５０の位置が変化して浮力式水位計１５０の上端の突出量が変わる。
その結果、ユーザが蓋部材１４０を開けずに培養液ＦＬの水位ＷＬを把握することができる。
【００３６】
また、本実施例では、蓋部材１４０が、点検用開口１４３と、点検用開口１４３に対して着脱自在な開口用蓋１４４とを有している。
これにより、ユーザが培養液用容器１２０の内部を視認可能となる。
その結果、蓋部材１４０の全体を培養液用容器１２０から取り外すことなく容易に培養液用容器１２０の内部を確認して点検することができる。
さらに、点検用開口１４３を介して培養液ＦＬを補給可能となる。
その結果、ユーザが蓋部材１４０の全体を培養液用容器１２０から取り外すことなく容易に培養液ＦＬを補給することができる。
なお、点検用開口１４３の縁部は、下方へいくに従って開口面積が小さくなるように傾斜している。
他方、開口用蓋１４４の縁部は、上方へいくに従って蓋面積が大きくなるように傾斜している。
したがって、開口用蓋１４４が点検用開口１４３の内部に落ちてしまう虞がない。
【００３７】
さらに、本実施例では、前述したように、植物支持体１１０が、脚部１１１を有して培養液用容器１２０の底部１２１と接触した状態で植物ＰＴを支持している。
これにより、植物支持体１１０が蓋部材１４０に対して変位しない。
その結果、植物ＰＴの枝や茎ＰＴ２が傷つくことを回避できる。
【００３８】
また、栽培方法としては、本実施例の栽培装置１００の構成を前提にして、シート状給液用導液材１３０が、培養液用容器１２０の内部の培養液ＦＬを吸い上げる（培養液吸い上げ工程）。
そして、シート状給液用導液材１３０が、培養液吸い上げ工程で吸い上げた培養液ＦＬを栽培容器の内部へ供給する（培養液供給工程）。
また、雨が降ったときに、蓋部材１４０が、雨水を蓋部材１４０の上から培養液用容器１２０の外側の下方へ案内する（雨水移動工程）。
【００３９】
このようにして得られた本発明の第１実施例である栽培装置１００は、植物ＰＴを支持する植物支持体１１０と、培養液ＦＬを貯える培養液用容器１２０と、培養液ＦＬを植物ＰＴへ導くシート状給液用導液材１３０と、培養液用容器１２０を覆う蓋部材１４０とを備え、シート状給液用導液材１３０の少なくとも一つの端部１３１が、培養液用容器１２０の内部の培養液ＦＬに浸かるとともに、シート状給液用導液材１３０の中央部１３２が、植物支持体１１０の上に配設され、植物ＰＴの根ＰＴ１が、シート状給液用導液材１３０の中央部１３２の上に設置され、蓋部材１４０が、培養液用容器１２０に対して着脱自在に培養液用容器１２０の長手方向Ｄに複数配設されているとともに、培養液用容器１２０の長手方向Ｄの端部に切り欠き部１４１を有し、隣り合う蓋部材１４０の切り欠き部１４１同士または切り欠き部１４１および端部が植物ＰＴの茎ＰＴ２の周囲を囲っていることにより、雨が降ったときに雨水が培養液用容器１２０の内部に入ってしまうことを回避して微生物の発生や培養液ＦＬの濃度が薄くなるなどの不都合を防止し、容易に蓋部材１４０を培養液用容器１２０から取り外すとともに、容易に培養液用容器１２０の内部を確認して点検することができる。
【００４０】
さらに、培養液用容器１２０の内部の培養液ＦＬの水位ＷＬを計る浮力式水位計１５０をさらに備え、浮力式水位計１５０が、培養液用容器１２０の内部の培養液ＦＬから上方へ延びて蓋部材１４０の貫通穴１４２を介して突出自在に設けられていることにより、ユーザが蓋部材１４０を開けずに培養液ＦＬの水位ＷＬを把握することができる。
【００４１】
また、蓋部材１４０が、点検用開口１４３と、点検用開口１４３に対して着脱自在な開口用蓋１４４とを有していることにより、ユーザが蓋部材１４０の全体を培養液用容器１２０から取り外すことなく容易に培養液用容器１２０の内部を確認して点検するとともに培養液ＦＬを補給することができる。
【００４２】
さらに、植物支持体１１０が、培養液用容器１２０の底部１２１と接触した状態で植物ＰＴを支持していることにより、植物ＰＴの枝や茎ＰＴ２が傷つくことを回避できる。
【００４３】
また、本発明の第１実施例である栽培方法は、植物支持体１１０と培養液用容器１２０とシート状給液用導液材１３０と培養液用容器１２０を覆う蓋部材１４０とを備え、蓋部材１４０が、培養液用容器１２０に対して着脱自在に培養液用容器１２０の長手方向Ｄに複数配設されているとともに、培養液用容器１２０の長手方向Ｄの端部に切り欠き部１４１を有し、隣り合う蓋部材１４０の切り欠き部１４１同士または切り欠き部１４１および端部が植物ＰＴの茎ＰＴ２の周囲を囲っている構成の栽培装置１００を用いた栽培方法であって、シート状給液用導液材１３０が、培養液用容器１２０の内部の培養液ＦＬを吸い上げる培養液吸い上げ工程と、シート状給液用導液材１３０が、培養液吸い上げ工程で吸い上げた培養液ＦＬを栽培容器の内部へ供給する培養液供給工程と、蓋部材１４０が、雨水を蓋部材１４０の上から培養液用容器１２０の外側の下方へ案内する雨水移動工程とを具備していることにより、雨が降ったときに雨水が培養液用容器１２０の内部に入ってしまうことを回避して微生物の発生や培養液ＦＬの濃度が薄くなるなどの不都合を防止し、容易に蓋部材１４０を培養液用容器１２０から取り外すとともに、容易に培養液用容器１２０の内部を確認して点検することができるなど、その効果は甚大である。
【実施例２】
【００４４】
続いて、本発明の第２実施例である栽培装置２００について、図４および図５に基づいて説明する。
ここで、図４は、本発明の第２実施例の栽培装置２００の概略を示す平面図であり、図５は、本発明の第２実施例の栽培装置２００の概略を示す断面図である。
第２実施例の栽培装置２００は、第１実施例の栽培装置１００のシート状給液用導液材１３０の中央部１３２の上の植物ＰＴの根ＰＴ１の上に防根シートを載置するとともに、蓋部材１４０の上に紐状の雨水用導水材を配設したものであり、多くの要素について第１実施例の栽培装置１００と共通するので、共通する事項については詳しい説明を省略し、下２桁が共通する２００番台の符号を付すのみとする。
【００４５】
本発明の第２実施例である栽培装置２００は、図４および図５に示すように、植物支持体２１０と、培養液用容器２２０と、シート状給液用導液材２３０と、蓋部材２４０とを備えている。
【００４６】
本実施例では、植物ＰＴの根ＰＴ１が、植物ＰＴの根ＰＴ１の進入を防ぐ防根シート２６０によって包まれている。
技術的思想としては、植物ＰＴの根ＰＴ１の進入を防ぐ防根シート２６０が、シート状給液用導液材２３０の中央部２３２の上の植物ＰＴの根ＰＴ１の上に載置されていればよい。
これにより、植物ＰＴの根ＰＴ１が防根シート２６０とシート状給液用導液材２３０との間に沿って成長する。
その結果、植物ＰＴの根ＰＴ１が蓋部材２４０と絡まるように接触してしまうことを回避して蓋部材２４０が培養液用容器２２０に対して外せなくなってしまうことを回避できる。
【００４７】
なお、植物ＰＴの根ＰＴ１が、植物ＰＴの根ＰＴ１の進入を防ぐ防根シート２６０によって包まれていることにより、植物ＰＴの根ＰＴ１がシート状給液用導液材２３０の内部に入り込んでしまうことが回避される。
その結果、植物ＰＴを持ち上げて容易にシート状給液用導液材２３０の中央部２３２から離して移動させることができる。
技術的思想としては、植物ＰＴの根ＰＴ１の進入を防ぐ防根シート２６０が、シート状給液用導液材２３０の中央部２３２と、植物ＰＴの根ＰＴ１との間に載置されていればよい。
【００４８】
さらに、本実施例では、紐状の雨水用導水材２７０が、蓋部材２４０の上に配設されている。
そして、雨水用導水材２７０の一端２７１側が、互いに対向した切り欠き部２４１の上において植物ＰＴの茎ＰＴ２と結ばれている。
他方、雨水用導水材２７０の他端２７２側が、蓋部材２４０の端部から培養液用容器２２０の外側へ延設されている。
これにより、蓋部材２４０の上で溜まろうとする雨水が表面張力や毛管現象によって雨水用導水材２７０に吸い寄せられるように移動して重力によって他端２７２側へ移動する。
その結果、蓋部材２４０の上の雨水を培養液用容器２２０の外側の下方へ流して雨水が培養液用容器２２０の内部に浸入することをより確実に回避できる。
【００４９】
なお、植物支持体２１０を、一例として発泡スチロールで形成して、培養液用容器２２０の内部の培養液ＦＬに浮かべてもよい。
そして、植物支持体２１０が、培養液用容器２２０の内部の培養液ＦＬの上に浮かんだ状態で植物ＰＴを支持する。
つまり、植物支持体２１０の浮力を利用して植物ＰＴおよびシート状給液用導液材２３０を支持する構成としてもよい。
これにより、培養液ＦＬの量に応じて植物支持体２１０が高さ方向に変位してシート状給液用導液材２３０が培養液ＦＬと常に接触する。
その結果、培養液ＦＬを植物ＰＴの根ＰＴ１へ安定して供給することができる。
【００５０】
このようにして得られた本発明の第２実施例である栽培装置２００は、植物ＰＴの根ＰＴ１の進入を防ぐ防根シート２６０をさらに備え、防根シート２６０が、シート状給液用導液材２３０の中央部２３２の上の植物ＰＴの根ＰＴ１の上に載置されていることにより、植物ＰＴの根ＰＴ１が蓋部材２４０と絡まるように接触することを回避して蓋部材２４０が培養液用容器２２０に対して外せなくなってしまうことを回避できる。
【００５１】
また、防根シート２６０が、シート状給液用導液材２３０と蓋部材２４０との間において植物ＰＴの根ＰＴ１を包み込んでいることにより、植物ＰＴの根ＰＴ１が蓋部材２４０およびシート状給液用導液材２３０と絡まるように接触してしまうことを回避して蓋部材２４０が培養液用容器２２０に対して外せなくなることを回避でき、さらに、植物ＰＴがシート状給液用導液材２３０に対して外せなくなることを回避して植物ＰＴを栽培装置２００から出して自由に持ち運ぶことができる。
【００５２】
さらに、紐状の雨水用導水材２７０をさらに備え、雨水用導水材２７０が、蓋部材２４０の上に配設され、雨水用導水材２７０の一端２７１側が、互いに対向した切り欠き部２４１の上において植物ＰＴの茎ＰＴ２と結ばれ、雨水用導水材２７０の他端２７２側が、蓋部材２４０の端部から培養液用容器２２０の外側へ延設されていることにより、蓋部材２４０の上の雨水を培養液用容器２２０の外側の下方へ流して雨水が培養液用容器２２０の内部に浸入することをより確実に回避できるなど、その効果は甚大である。
【符号の説明】
【００５３】
１００、  ２００  ・・・  栽培装置
１１０、  ２１０  ・・・  植物支持体
１１１、  ２１１  ・・・  脚部
１２０、  ２２０  ・・・  培養液用容器
１２１、  ２２１  ・・・  底部
１２２、  ２２２  ・・・  排液口
１２３、  ２２３  ・・・  給液口
１３０、  ２３０  ・・・  シート状給液用導液材
１３１、  ２３１  ・・・  端部
１３２、  ２３２  ・・・  中央部
１４０、  ２４０  ・・・  蓋部材
１４０Ａ、２４０Ａ・・・  左側蓋部材
１４０Ｂ、２４０Ｂ・・・  中央蓋部材
１４０Ｃ、２４０Ｃ・・・  右側蓋部材
１４１、  ２４１  ・・・  切り欠き部
１４２、  ２４２  ・・・  貫通穴
１４３、  ２４３  ・・・  点検用開口
１４４、  ２４４  ・・・  開口用蓋
１５０、  ２５０  ・・・  浮力式水位計
２６０  ・・・  防根シート
２７０  ・・・  雨水用導水材
２７１  ・・・  一端
２７２  ・・・  他端
ＰＴ  ・・・  植物
ＰＴ１・・・  根
ＰＴ２・・・  茎
ＦＬ  ・・・  培養液
ＷＬ  ・・・  水位
Ｄ    ・・・  （培養液用容器の）長手方向
【図１】
2018064463.tif 000003
【図２】
2018064463.tif 000004
【図３】
2018064463.tif 000005
【図４】
2018064463.tif 000006
【図５】
2018064463.tif 000007